(57)【要約】【課題】  形状保持特性と装用感を併せて高度に実現せしめ得る、新規な形状のコンタクトレンズを提供すること。【解決手段】  レンズ前面における光学部と周辺部の接続部位３２の厚さ寸法：ＴFJと、それよりも径方向外方に位置せしめられたレンズ後面における光学部と周辺部の接続部位３０の厚さ寸法：ＴBJとの比：ＴBJ／ＴFJの値を、光学部のレンズ度数：Ｐの大きさに応じて、特定の条件式に従って設定するようにした。【選択図】  図１
2007286644.tif 000002
【特許請求の範囲】
【請求項１】
レンズ中央部分に光学部が設けられると共に該光学部の外周側に周辺部が設けられており、全体として角膜の表面に重ね合わせて装用されるコンタクトレンズにおいて、
前記光学部のレンズ度数：Ｐが、−６ディオプタ≦Ｐ≦０ディオプタとされていると共に、
レンズ前面における前記光学部と前記周辺部の接続部位よりもレンズ後面における該光学部と該周辺部の接続部位をレンズ中心軸に直交するレンズ径方向で外方に位置せしめられている一方、
レンズ中心軸上のレンズ厚さが０．０３〜０．５０mmとされており、
レンズ前面における前記光学部と前記周辺部の接続部位のレンズ厚さがレンズ中心軸上のレンズ厚さ以上とされ、且つ、
レンズ後面における前記光学部と前記周辺部の接続部位のレンズ厚さ：ＴBJが、レンズ前面における該光学部と該周辺部の接続部位のレンズ厚さ：ＴFJ以上とされている
ことを特徴とするコンタクトレンズ。
【請求項２】
前記周辺部とレンズ外周縁部に設けられたエッジとの接続部分において、
レンズ前面における該周辺部と該エッジとの接続部位およびレンズ後面における該周辺部と該エッジとの接続部分がレンズ中心軸に直交するレンズ径方向で外方に位置せしめられており、
それらレンズ前面における該周辺部と該エッジとの接続部位およびレンズ後面における該周辺部と該エッジとの接続部位のレンズ厚さが、何れも、レンズ後面における前記光学部と前記周辺部の接続部位のレンズ厚さ：ＴBJよりも小さくされている請求項１に記載のコンタクトレンズ。
【請求項３】
レンズ中央部分に光学部が設けられると共に該光学部の外周側に周辺部が設けられており全体として角膜の表面に重ね合わせて装用されるコンタクトレンズを、該光学部に対して互いに異なるレンズ度数：Ｐが設定された複数種類組み合わせて取り揃えたコンタクトレンズのシリーズであって、
前記光学部のレンズ度数：Ｐが「−１０ディオプタ≦Ｐ≦０ディオプタ」の範囲に設定された前記コンタクトレンズにおいて、レンズ前面における前記光学部と前記周辺部の接続部位よりもレンズ後面における該光学部と該周辺部の接続部位がレンズ中心軸に直交するレンズ径方向で外方に位置せしめられている一方、レンズ中心軸上のレンズ厚さが０．０３〜０．５０mmとされていると共に、レンズ前面における該光学部と該周辺部の接続部位のレンズ厚さ：ＴFJが０．０５mm以上とされており、且つレンズ後面における該光学部と該周辺部の接続部位のレンズ厚さ：ＴBJが該光学部のレンズ度数：Ｐに応じて下式：
Σ（Ａi ・１０-i・Ｐi ）≦ＴBJ／ＴFJ≦Σ（Ｂi ・１０-i・Ｐi ）
Ａ0 ＝＋１．２３８２
Ａ1 ＝−０．１７４１
Ａ2 ＝−１．４７１１
Ａ3 ＝−０．９３５５
Ｂ0 ＝＋１．４６９９
Ｂ1 ＝−０．２５２３
Ｂ2 ＝−１．９８９７
Ｂ3 ＝−１．２６０３
に従う寸法とされていることを特徴とするコンタクトレンズのシリーズ。
【請求項４】
レンズ中央部分に光学部が設けられると共に該光学部の外周側に周辺部が設けられており全体として角膜の表面に重ね合わせて装用されるコンタクトレンズを、該光学部に対して互いに異なるレンズ度数：Ｐが設定された複数種類組み合わせて取り揃えたコンタクトレンズのシリーズであって、
前記光学部のレンズ度数：Ｐが「−６ディオプタ≦Ｐ≦０ディオプタ」の範囲に設定された前記コンタクトレンズにおいて、レンズ中心軸上のレンズ厚さが０．０３〜０．５０mmとされていると共に、レンズ前面における前記光学部と前記周辺部の接続部位のレンズ厚さ：ＴFJが０．０５mm以上とされている一方、レンズ前面における該光学部と該周辺部の接続部位よりもレンズ後面における該光学部と該周辺部の接続部位がレンズ中心軸に直交するレンズ径方向で外方に位置せしめられており、且つかかるレンズ後面における該光学部と該周辺部の接続部位のレンズ厚さ：ＴBJが下式：
ＴBJ／ＴFJ  ≧  １
に従う厚さ寸法とされていることを特徴とするコンタクトレンズのシリーズ。
【請求項５】
前記コンタクトレンズにおいて、レンズ前面における前記光学部と前記周辺部の接続部位の径寸法がレンズ外径寸法の５５〜８５％とされていると共に、レンズ後面における該光学部と該周辺部の接続部位の径寸法がレンズ外径寸法の７０〜９０％とされている請求項３又は４に記載のコンタクトレンズのシリーズ。
【請求項６】
レンズ中央部分に光学部が設けられると共に該光学部の外周側に周辺部が設けられており全体として角膜の表面に重ね合わせて装用されるコンタクトレンズを、該光学部に対して互いに異なるレンズ度数：Ｐが設定された複数種類組み合わせて取り揃えたコンタクトレンズのシリーズであって、
前記光学部のレンズ度数：Ｐが「Ｐ＜−１０ディオプタ」の範囲に設定された前記コンタクトレンズにおいて、レンズ前面における前記光学部と前記周辺部の接続部位よりもレンズ後面における該光学部と該周辺部の接続部位をレンズ中心軸に直交するレンズ径方向で外方に位置せしめられている一方、レンズ中心軸上のレンズ厚さが０．０３〜０．５０mmとされていると共に、レンズ前面における該光学部と該周辺部の接続部位のレンズ厚さ：ＴFJを０．０５mm以上とされており、且つレンズ後面における該光学部と該周辺部の接続部位のレンズ厚さ：ＴBJが該光学部のレンズ度数：Ｐに応じて下式：
（１）レンズ前面における前記光学部の直径寸法：ＤFOZ が「ＤFOZ ＜７．０mmの場合」
０．８７７  ≦  ＴBJ／ＴFJ  ≦  ０．９９３
（２）レンズ前面における前記光学部の直径寸法：ＤFOZ が「ＤFOZ ≧７．０mmの場合」
Σ（Ａi ・１０-i・Ｐi ）≦ＴBJ／ＴFJ≦Σ（Ｂi ・１０-i・Ｐi ）
Ａ0 ＝＋１．７９８０
Ａ1 ＝＋１．４３３０
Ａ2 ＝＋０．５８２４
Ａ3 ＝＋０．０８１４
Ｂ0 ＝＋２．０１８４
Ｂ1 ＝＋１．５８２７
Ｂ2 ＝＋０．６２９８
Ｂ3 ＝＋０．０８７１
に従う厚さ寸法とされていることを特徴とするコンタクトレンズのシリーズ。
【請求項７】
レンズ中央部分に光学部が設けられると共に、該光学部の外周側に周辺部が設けられており全体として角膜の表面に重ね合わせて装用されるコンタクトレンズを、該光学部に対して互いに異なるレンズ度数：Ｐが設定された複数種類組み合わせて取り揃えたコンタクトレンズのシリーズであって、
前記光学部のレンズ度数：Ｐが「０ディオプタ＜Ｐ」の範囲に設定された前記コンタクトレンズにおいて、レンズ前面における前記光学部と前記周辺部の接続部位よりもレンズ後面における該光学部と該周辺部の接続部位をレンズ中心軸に直交するレンズ径方向で外方に位置せしめられている一方、レンズ中心軸上のレンズ厚さが０．０３〜０．５０mmとされていると共に、レンズ前面における該光学部と該周辺部の接続部位のレンズ厚さ：ＴFJが０．０５mm以上とされており、且つレンズ後面における該光学部と該周辺部の接続部位のレンズ厚さ：ＴBJが該光学部のレンズ度数：Ｐに応じて下式：
（１）レンズ前面における前記光学部の直径寸法：ＤFOZ が「ＤFOZ ＜７．０mmの場合」
１．２３８  ≦  ＴBJ／ＴFJ  ≦  １．４７０
（２）レンズ前面における前記光学部の直径寸法：ＤFOZ が「ＤFOZ ≧７．０mmの場合」
Σ（Ａi ・１０-i・Ｐi ）≦ＴBJ／ＴFJ≦Σ（Ｂi ・１０-i・Ｐi ）
Ａ0 ＝＋１．２０６６
Ａ1 ＝−０．０３９８
Ａ2 ＝−０．１３４１
Ａ3 ＝＋０．０１３９
Ｂ0 ＝＋１．４３２８
Ｂ1 ＝−０．０５１６
Ｂ2 ＝−０．１４３６
Ｂ3 ＝＋０．０１５３
に従う厚さ寸法とされていることを特徴とするコンタクトレンズのシリーズ。
【請求項８】
前記コンタクトレンズにおいて、レンズ前面とレンズ後面の少なくとも一方において、径方向断面で前記光学部と前記周辺部の各端部に対して共通接線をもって接続されると共に、それら光学部と周辺部の各端部間に亘って接線の傾斜角度が連続して変化する滑らかな連続面形状を有する接続面が形成されており、該接続面により前記光学部と周辺部の接続部位が構成されている請求項３乃至７の何れか一項に記載のコンタクトレンズのシリーズ。
【請求項９】
前記コンタクトレンズにおいて、レンズ前面における前記周辺部が、２次以上の多項式，円錐曲線およびスプライン曲線の少なくとも一つによって定義される径方向断面形状とされている請求項３乃至８の何れか一項に記載のコンタクトレンズのシリーズ。
【請求項１０】
前記コンタクトレンズにおいて、レンズ後面の径方向断面において、前記周辺部の少なくとも一部が円弧形状とされている請求項３乃至９の何れか一項に記載のコンタクトレンズのシリーズ。
【請求項１１】
前記コンタクトレンズが、軟性材料からなるソフトコンタクトレンズである請求項３乃至１０の何れか一項に記載のコンタクトレンズのシリーズ。
【請求項１２】
レンズ中央部分に光学部が設けられると共に該光学部の外周側に周辺部が設けられており、全体として角膜の表面に重ね合わせて装用されるコンタクトレンズであって、該光学部のレンズ度数：Ｐによって特定される以下の（ｉ）、（ｉｉ）、（ｉｉｉ）の何れか一つの条件に従った形状を有していることを特徴とするコンタクトレンズ。
（ｉ）  レンズ度数：Ｐが「−１０ディオプタ≦Ｐ≦０ディオプタ」とされており、レンズ前面における前記光学部と前記周辺部の接続部位よりもレンズ後面における該光学部と該周辺部の接続部位がレンズ中心軸に直交するレンズ径方向で外方に位置せしめられている一方、レンズ中心軸上のレンズ厚さが０．０３〜０．５０mmとされていると共に、レンズ前面における該光学部と該周辺部の接続部位のレンズ厚さ：ＴFJが０．０５mm以上とされており、且つレンズ後面における該光学部と該周辺部の接続部位のレンズ厚さ：ＴB が該光学部のレンズ度数：Ｐに応じて下式：
Σ（Ａi ・１０-i・Ｐi ）≦ＴBJ／ＴFJ≦Σ（Ｂi ・１０-i・Ｐi ）
Ａ0 ＝＋１．２３８２
Ａ1 ＝−０．１７４１
Ａ2 ＝−１．４７１１
Ａ3 ＝−０．９３５５
Ｂ0 ＝＋１．４６９９
Ｂ1 ＝−０．２５２３
Ｂ2 ＝−１．９８９７
Ｂ3 ＝−１．２６０３
に従う厚さ寸法とされている。
（ｉｉ）  レンズ度数：Ｐが「Ｐ＜−１０ディオプタ」とされており、レンズ前面における前記光学部と前記周辺部の接続部位よりもレンズ後面における該光学部と該周辺部の接続部位がレンズ中心軸に直交するレンズ径方向で外方に位置せしめられている一方、レンズ中心軸上のレンズ厚さが０．０３〜０．５０mmとされていると共に、レンズ前面における該光学部と該周辺部の接続部位のレンズ厚さ：ＴFJを０．０５mm以上とされており、且つレンズ後面における該光学部と該周辺部の接続部位のレンズ厚さ：ＴBJが該光学部のレンズ度数：Ｐに応じて下式：
（１）レンズ前面における前記光学部の直径寸法：ＤFOZ が「ＤFOZ ＜７．０mmの場合」
０．８７７  ≦  ＴBJ／ＴFJ  ≦  ０．９９３
（２）レンズ前面における前記光学部の直径寸法：ＤFOZ が「ＤFOZ ≧７．０mmの場合」
Σ（Ａi ・１０-i・Ｐi ）≦ＴBJ／ＴFJ≦Σ（Ｂi ・１０-i・Ｐi ）
Ａ0 ＝＋１．７９８０
Ａ1 ＝＋１．４３３０
Ａ2 ＝＋０．５８２４
Ａ3 ＝＋０．０８１４
Ｂ0 ＝＋２．０１８４
Ｂ1 ＝＋１．５８２７
Ｂ2 ＝＋０．６２９８
Ｂ3 ＝＋０．０８７１
に従う厚さ寸法とされている。
（ｉｉｉ）  レンズ度数：Ｐが「Ｐ＜−１０ディオプタ」とされており、レンズ前面における前記光学部と前記周辺部の接続部位よりもレンズ後面における該光学部と該周辺部の接続部位がレンズ中心軸に直交するレンズ径方向で外方に位置せしめられている一方、レンズ中心軸上のレンズ厚さが０．０３〜０．５０mmとされていると共に、レンズ前面における該光学部と該周辺部の接続部位のレンズ厚さ：ＴFJを０．０５mm以上とされており、且つレンズ後面における該光学部と該周辺部の接続部位のレンズ厚さ：ＴBJが該光学部のレンズ度数：Ｐに応じて下式：
（１）レンズ前面における前記光学部の直径寸法：ＤFOZ が「ＤFOZ ＜７．０mmの場合」
１．２３８  ≦  ＴBJ／ＴFJ  ≦  １．４７０
（２）レンズ前面における前記光学部の直径寸法：ＤFOZ が「ＤFOZ ≧７．０mmの場合」
Σ（Ａi ・１０-i・Ｐi ）≦ＴBJ／ＴFJ≦Σ（Ｂi ・１０-i・Ｐi ）
Ａ0 ＝＋１．２０６６
Ａ1 ＝−０．０３９８
Ａ2 ＝−０．１３４１
Ａ3 ＝＋０．０１３９
Ｂ0 ＝＋１．４３２８
Ｂ1 ＝−０．０５１６
Ｂ2 ＝−０．１４３６
Ｂ3 ＝＋０．０１５３
に従う厚さ寸法とされている。
【発明の詳細な説明】
【技術分野】
【０００１】
本発明は、コンタクトレンズおよびコンタクトレンズのシリーズに係り、十分な形状保持特性を備えつつ、薄肉で装用感の良いコンタクトレンズを実現せしめ得る技術に関するものであって、特にソフトコンタクトレンズに対して有利に適用されて、装用感を良好に保ちつつ、良好な形状保持特性に基づいて優れたハンドリング性や表裏判定性を実現せしめ得る、新規な形状のコンタクトレンズおよびコンタクトレンズのシリーズに関するものである。
【背景技術】
【０００２】
コンタクトレンズにおいては、一般に、（ａ）装用感が優れていることと、（ｂ）手指による取扱性（ハンドリング性）に優れていることが要求される。そこにおいて、前者（ａ）の装用感を向上させるためには、製造性や耐久性等を考慮して材料に応じて規定される最小厚さを確保した上で、コンタクトレンズの厚さ寸法を十分に小さく設定することが望ましく、薄肉のコンタクトレンズは酸素透過性の点でも優れている。ところが、コンタクトレンズの厚さ寸法を小さくすると、コンタクトレンズの形状保持特性が低下してしまい、特にソフトコンタクトレンズでは、コンタクトレンズの着脱に際して手指に載せた際に指表面にまとわりついて取扱性が極めて悪くなると共に、表裏の判定が困難で装用作業性も劣るという問題があった。
【０００３】
そこで、このような問題に対処するために、従来では、コンタクトレンズの厚さを、良好な形状保持特性に基づく取扱性が確保され得る程度に厚肉としたり、或いは、装用感を重視して薄肉とすると共に、不十分な形状保持特性に対処するために表裏の判定用のマークをレンズ表面に表示する対策が講じられていたが、これらは何れも装用感と形状保持特性（取扱性）の何れかを犠牲にした妥協案に過ぎず、基本的な解決策と言えるものでは、決してなかったのである。特に、レンズに表裏判定用のマークを付する場合には、マーク表示のための特別な工程と加工作業が必要となり、製造コストが悪化するという問題もあった。
【０００４】
なお、コンタクトレンズにおいて優れた装用感と取扱性を両立させて実現するために、（ｉ）特開平８−２８６１５５号公報には、周辺部の厚さ寸法をレンズ中心部の厚さ寸法の１．２倍以上とすると共に、レンズ前面（フロントカーブ面）における光学部と周辺部の接続部位をレンズ後面（ベースカーブ面）における光学部と周辺部の接続部位よりも径方向外方に位置せしめて且つ厚肉としたコンタクトレンズのレンズ形状が提案されており、（ii）特開平１１−５２３０４号公報および特開２０００−２１４４１７号公報には、レンズの中心厚さ寸法と周辺部の最大厚さ寸法および最大厚さ部位の位置を特定したコンタクトレンズ形状が提案されている。
【０００５】
しかしながら、これら何れの公報に開示されたコンタクトレンズ形状も、前述の如き装用感と取扱性を十分に両立し得るものではなかったのであり、特に、各公報に記載されている従来技術は、何れも、基本的にレンズ前面における光学部と周辺部の接続部位若しくはその付近におけるレンズ厚さを対象として、装用感を大幅に低下させない程度に確保しつつ良好な形状保持特性が発揮されるように、かかる部位のレンズ厚さを十分に大きく設定するものであることから、かかる部位（レンズ前面における光学部と周辺部の接続部位）におけるレンズ厚さを確保することによって光学部における光学特性の設計が制限を受けることとなり、レンズ形状や設定度数の設計自由度が小さくなってしまうという問題もあったのである。
【０００６】
すなわち、一般にコンタクトレンズの設計に際しては、先ず、良好な装用感と装用時の位置安定性を得るためにレンズ後面の曲率半径を装用者の角膜形状に応じたベースカーブとして決定し、その後、光学部において目的とするレンズ度数が実現されるように、且つ材料等に応じて定められた最小厚さを満足するように、レンズ前面の形状が設計されることとなるが、そこにおいて、前記公報に記載されている従来技術に従えば、レンズ度数を決定するレンズ前面の光学部の外周縁部におけるレンズ厚さが特定の値に設定されることとなるために、光学部の全体に亘ってレンズ厚さが拘束を受けることとなり、結果としてレンズ形状やレンズ度数の設計自由度が制限されてしまうのである。
【特許文献１】特開平８−２８６１５５号公報
【特許文献２】特開平１１−５２３０４号公報
【特許文献３】特開２０００−２１４４１７号公報
【発明の開示】
【発明が解決しようとする課題】
【０００７】
ここにおいて、本発明は上述の如き事情を背景として為されたものであって、その解決課題とするところは、大きな設計自由度を確保しつつ、形状保持特性と装用感を併せて高度に実現せしめ得る、新規な形状のコンタクトレンズおよびコンタクトレンズのシリーズを提供することにある。
【課題を解決するための手段】
【０００８】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載され、或いはそれらの記載から当業者が把握することの出来る発明思想に基づいて認識されるものであることが理解されるべきである。
【０００９】
すなわち、コンタクトレンズに関する本発明の第一の態様は、レンズ中央部分に光学部が設けられると共に該光学部の外周側に周辺部が設けられており、全体として角膜の表面に重ね合わせて装用されるコンタクトレンズにおいて、前記光学部のレンズ度数：Ｐが、−６ディオプタ≦Ｐ≦０ディオプタとされていると共に、レンズ前面における前記光学部と前記周辺部の接続部位よりもレンズ後面における該光学部と該周辺部の接続部位をレンズ中心軸に直交するレンズ径方向で外方に位置せしめられている一方、レンズ中心軸上のレンズ厚さが０．０３〜０．５０mmとされており、レンズ前面における前記光学部と前記周辺部の接続部位のレンズ厚さがレンズ中心軸上のレンズ厚さ以上とされ、且つ、レンズ後面における前記光学部と前記周辺部の接続部位のレンズ厚さ：ＴBJが、レンズ前面における該光学部と該周辺部の接続部位のレンズ厚さ：ＴFJ以上とされているコンタクトレンズを、特徴とする。
また、コンタクトレンズに関する本発明の第二の態様は、前記第一の態様に係るコンタクトレンズであって、前記周辺部とレンズ外周縁部に設けられたエッジとの接続部分において、レンズ前面における該周辺部と該エッジとの接続部位およびレンズ後面における該周辺部と該エッジとの接続部分がレンズ中心軸に直交するレンズ径方向で外方に位置せしめられており、それらレンズ前面における該周辺部と該エッジとの接続部位およびレンズ後面における該周辺部と該エッジとの接続部位のレンズ厚さが、何れも、レンズ後面における前記光学部と前記周辺部の接続部位のレンズ厚さ：ＴBJよりも小さくされていることを、特徴とする。
そして、コンタクトレンズのシリーズに関する本発明の第一の態様は、レンズ中央部分に光学部が設けられると共に該光学部の外周側に周辺部が設けられており全体として角膜の表面に重ね合わせて装用されるコンタクトレンズを、該光学部に対して互いに異なるレンズ度数：Ｐが設定された複数種類組み合わせて取り揃えたコンタクトレンズのシリーズであって、前記光学部のレンズ度数：Ｐが「−１０ディオプタ≦Ｐ≦０ディオプタ」の範囲に設定された前記コンタクトレンズにおいて、レンズ前面における前記光学部と前記周辺部の接続部位よりもレンズ後面における該光学部と該周辺部の接続部位がレンズ中心軸に直交するレンズ径方向で外方に位置せしめられている一方、レンズ中心軸上のレンズ厚さが０．０３〜０．５０mmとされていると共に、レンズ前面における該光学部と該周辺部の接続部位のレンズ厚さ：ＴFJが０．０５mm以上とされており、且つレンズ後面における該光学部と該周辺部の接続部位のレンズ厚さ：ＴBJが該光学部のレンズ度数：Ｐに応じて以下に示す条件式に従う寸法とされているコンタクトレンズのシリーズを、特徴とする。
【００１０】
Σ（Ａi ・１０-i・Ｐi ）≦ＴBJ／ＴFJ≦Σ（Ｂi ・１０-i・Ｐi ）
Ａ0 ＝＋１．２３８２
Ａ1 ＝−０．１７４１
Ａ2 ＝−１．４７１１
Ａ3 ＝−０．９３５５
Ｂ0 ＝＋１．４６９９
Ｂ1 ＝−０．２５２３
Ｂ2 ＝−１．９８９７
Ｂ3 ＝−１．２６０３
【００１１】
すなわち、コンタクトレンズのシリーズに関する本発明の第一の態様は、レンズ度数に応じて決定されるレンズ前面の形状によって光学部によるレンズの形状保持特性が相違する点に、本発明者等が新規に着目し、更なる検討を加えた結果、レンズ前面における光学部と周辺部の接続部位とレンズ後面における光学部と周辺部の接続部位を径方向で相互に離隔位置せしめた場合のそれら両接続部位における肉厚寸法の相対比を、レンズ度数に応じて調節することにより、光学部におけるレンズの形状保持効果を効率的に補完することが可能であって、特に、かかる相対比を、上述の条件式で表される如く、光学部のレンズ度数に応じて、特定の条件を満足するように設定することによって、コンタクトレンズの装用感を良好に保ちつつ、優れたレンズの形状保持特性が実現され得ることが明らかとなったのであって、このような知見に基づいて、本態様が完成され得たのである。
【００１２】
しかも、本態様においては、レンズ後面における光学部と周辺部の接続部位を、レンズ前面における光学部と周辺部の接続部位に対して径方向外方に離隔位置せしめた構成を採用したことにより、レンズ度数に応じて決定される上述の如きレンズ前後面での光学部と周辺部の両接続部位における厚さ寸法の相対比を、レンズ後面での光学部と周辺部の接続部位で調節することが出来るのであり、それによって、レンズ前面での光学部と周辺部の接続部位の厚さ寸法を光学部に要求される光学特性等に基づいて設定されるベストの値に設定したままで光学特定への悪影響を可及的に回避しつつ、レンズ後面での光学部と周辺部の接続部位の厚さ寸法を調節して、レンズの形状保持特性を要求レベルまで向上させることが可能となるのである。
【００１３】
さらに、本態様においては、レンズ中心軸上のレンズ厚さを０．０３〜０．５０mm、より好ましくは０．０５〜０．５０mmとすると共に、レンズ前面における光学部と周辺部の接続部位のレンズ厚さを０．０５mm以上、より好ましくは０．１０mm以上に設定したことにより、光学部の肉厚寸法を含む形状をレンズ度数に応じて揃えることが可能となる。それ故、光学部で発揮される形状保持特性を統一的に且つ精度良く把握することが出来るのであり、その結果、光学部で発揮される形状保持特性も考慮して周辺部による形状保持特性を設定することによって、良好な取扱性等が発揮される程度の形状保持特性をレンズ全体で一層安定して実現することが可能となるのである。
【００１４】
従って、本態様に従う構造とされたコンタクトレンズにおいては、光学部での形状保持特性を考慮しつつレンズ全体で良好な形状保持特性が効率的に実現され得るのであり、特に、過度に厚肉化して過剰な形状保持特性を持たせることに起因する装用感の低下や、厚肉化に伴う光学特性への悪影響などの問題が回避され得ることによって、優れた装用感と良好な取扱性（ハンドリング性）が、両立して高度に実現され得るのである。
【００１５】
なお、本態様が適用されるコンタクトレンズの種類や材料は、何等限定されるものでなく、近視用や老視用，乱視用など、従来から公知の各種のコンタクトレンズに対して、何れも適用可能である。また、コンタクトレンズの厚さ寸法は、各部位における半径方向厚さをいい、例えばレンズ後面における光学部が球面ならばその中心を通る直線上の厚さ、非球面ならば頂点円の中心を起点とした直線方向におけるレンズ厚さの寸法によって特定され得る。また、本態様が、−１０ディオプタ〜０ディオプタのレンズ度数を有するコンタクトレンズを対象とするのは、かかるレンズ度数の範囲のコンタクトレンズが、一般に近視矯正用レンズとして需要が多く、例えばレンズ度数を所定間隔で異ならせたものを取り揃えたシリーズとして市場に提供されるものだからである。
【００１６】
また、コンタクトレンズのシリーズに関する本発明の第二の態様は、レンズ中央部分に光学部が設けられると共に該光学部の外周側に周辺部が設けられており全体として角膜の表面に重ね合わせて装用されるコンタクトレンズを、該光学部に対して互いに異なるレンズ度数：Ｐが設定された複数種類組み合わせて取り揃えたコンタクトレンズのシリーズであって、前記光学部のレンズ度数：Ｐが「−６ディオプタ≦Ｐ≦０ディオプタ」の範囲に設定された前記コンタクトレンズにおいて、レンズ中心軸上のレンズ厚さが０．０３〜０．５０mmとされていると共に、レンズ前面における前記光学部と前記周辺部の接続部位のレンズ厚さ：ＴFJが０．０５mm以上とされている一方、レンズ前面における該光学部と該周辺部の接続部位よりもレンズ後面における該光学部と該周辺部の接続部位がレンズ中心軸に直交するレンズ径方向で外方に位置せしめられており、且つかかるレンズ後面における該光学部と該周辺部の接続部位のレンズ厚さ：ＴBJが下式に従う厚さ寸法とされていることを特徴とする。
ＴBJ／ＴFJ  ≧  １
【００１７】
このようなコンタクトレンズのシリーズに関する本発明の第二の態様も、コンタクトレンズのシリーズに関する本発明の第一の態様と同様に、レンズ前後面での光学部と周辺部の両接続部位における厚さ寸法の相対比を、レンズ度数に応じて調節することにより、レンズの厚肉化等に起因する装用感の低下を回避しつつ、レンズ全体での形状保持効果を効率的に得ることが可能であるという基本的な技術思想に基づいて、本発明者が鋭意検討した結果完成されたものであって、特に、本態様は、レンズ度数：Ｐが−６〜０ディオプタの場合に、光学部において好ましいレンズ形状や厚さ寸法を設定するに際して、光学部において有効な形状保持効果を得ることが難しいという、新たに得た知見に基づいて完成されたものである。即ち、本態様が、−６ディオプタ〜０ディオプタのレンズ度数を有するコンタクトレンズを対象とするのは、一般に近視矯正用レンズとして需要が多く、例えばシリーズとして市場に提供される前述のレンズ度数の範囲（−１０ディオプタ≦Ｐ≦０ディオプタ）のコンタクトレンズの中で、特にレンズ度数：Ｐが−６〜０ディオプタの場合には、光学部における最小肉厚寸法と最大肉厚寸法の差が小さく、最小肉厚寸法を部材強度や耐久性の観点から要求される最小値に設定すると、良好な装用感は得られるものの光学部による形状保持効果を得難いという共通した特性を有するものであることに、本発明者が新たに着目したことに基づくのである。
【００１８】
そして、本態様に従う構造とされたコンタクトレンズにおいては、光学部における好ましいレンズ形状や厚さ寸法の設定を満足せしめつつ、特にレンズ前面における光学部と周辺部の接続部位の肉厚寸法以上に、レンズ後面における光学部と周辺部の接続部位の肉厚寸法を大きく設定したことにより、光学部で不十分となり易い形状保持効果を、周辺部において効率的に補うことが出来るのであり、それによって、光学部に要求される光学特性や、薄肉寸法による装用感等を高度に保ちつつ、レンズ全体として優れた形状保持効果が実現されて、良好な取扱性が発揮されることとなるのである。なお、ＴBJ／ＴFJの値の上限値は、装用感を考慮して、装用者各人の感受性の相違等を考慮しつつ決定されることとなるが、一般に、ＴBJとＴFJの各値とも、その最小値がレンズ材料毎に要求される強度や耐久性の保持限界によって制限されると共に、その最大値が装用感によって制限されて１．０mm以上になることがないことから、ＴBJ／ＴFJの値の上限値を特に意識する必要はない。
【００１９】
また、コンタクトレンズのシリーズに関する本発明の第三の態様は、前記第一又は第二の態様に係るコンタクトレンズのシリーズであって、前記コンタクトレンズにおいて、レンズ前面における前記光学部と前記周辺部の接続部位の径寸法がレンズ外径寸法の５５〜８５％とされていると共に、レンズ後面における該光学部と該周辺部の接続部位の径寸法がレンズ外径寸法の７０〜９０％とされていることを、特徴とする。このような本態様においては、各種のレンズ度数の設定に際しても、光学部によるレンズ形状の保持効果と、周辺部によるレンズ形状の保持効果とが、その少なくとも一方において、或いは相互に補い合うことによって全体として、より有効に発揮され得るのである。
【００２０】
また、コンタクトレンズのシリーズに関する本発明の第四の態様は、レンズ中央部分に光学部が設けられると共に該光学部の外周側に周辺部が設けられており全体として角膜の表面に重ね合わせて装用されるコンタクトレンズを、該光学部に対して互いに異なるレンズ度数：Ｐが設定された複数種類組み合わせて取り揃えたコンタクトレンズのシリーズであって、前記光学部のレンズ度数：Ｐが「Ｐ＜−１０ディオプタ」の範囲に設定された前記コンタクトレンズにおいて、レンズ前面における前記光学部と前記周辺部の接続部位よりもレンズ後面における該光学部と該周辺部の接続部位をレンズ中心軸に直交するレンズ径方向で外方に位置せしめられている一方、レンズ中心軸上のレンズ厚さが０．０３〜０．５０mmとされていると共に、レンズ前面における該光学部と該周辺部の接続部位のレンズ厚さ：ＴFJを０．０５mm以上とされており、且つレンズ後面における該光学部と該周辺部の接続部位のレンズ厚さ：ＴBJが該光学部のレンズ度数：Ｐに応じて以下（１），（２）に示す条件式に従う厚さ寸法とされているコンタクトレンズのシリーズを、特徴とする。
【００２１】
（１）レンズ前面における前記光学部の直径寸法：ＤFOZ が「ＤFOZ ＜７．０mmの場合」
０．８７７  ≦  ＴBJ／ＴFJ  ≦  ０．９９３
（２）レンズ前面における前記光学部の直径寸法：ＤFOZ が「ＤFOZ ≧７．０mmの場合」
Σ（Ａi ・１０-i・Ｐi ）≦ＴBJ／ＴFJ≦Σ（Ｂi ・１０-i・Ｐi ）
Ａ0 ＝＋１．７９８０
Ａ1 ＝＋１．４３３０
Ａ2 ＝＋０．５８２４
Ａ3 ＝＋０．０８１４
Ｂ0 ＝＋２．０１８４
Ｂ1 ＝＋１．５８２７
Ｂ2 ＝＋０．６２９８
Ｂ3 ＝＋０．０８７１
【００２２】
このような本態様に従う構造とされたコンタクトレンズにおいては、特に「ハイマイナスレンズ」と称される−１０ディオプタより強度の負屈折力を有するものにおいて、前記コンタクトレンズのシリーズに関する本発明の第一の態様に係るコンタクトレンズと同様に、光学部によるレンズの形状保持効果を把握してそれを利用しつつ、周辺部によって形状保持効果を有効に補完することが可能となる。しかも、光学部のレンズ度数に応じて特定の条件を満足するように周辺部が形状設定されることにより、光学部の光学特性の設計自由度を充分に確保しつつ、且つコンタクトレンズの装用感を良好に保ちつつ、優れたレンズの形状保持特性が実現可能となるのである。
【００２３】
特に、本態様においては、周辺部の形状を、レンズ前面における前記光学部の直径寸法：ＤFOZ を考慮して設定するようにしたことにより、光学部によるレンズの形状保持効果をより高度に把握して、周辺部を過度に厚肉化すること等もなく、該光学部による形状保持効果を周辺部によってより好適に補完して、レンズ全体として優れた形状保持効果と装用感を両立して実現することが出来る。即ち、光学部径が大きい場合には、光学部における負屈折力がより強度になった場合に、特に外周部分が厚肉となる光学部における有効な形状保持効果を利用することにより、問題となり易い周辺部における過度の厚肉化を回避して良好な装用感を達成することが出来ると共に、光学部径が小さい場合には、光学部において不足しがちな形状保持効果を周辺部によって効果的に補完することが可能となるのである。
【００２４】
また、コンタクトレンズのシリーズに関する本発明の第五の態様は、レンズ中央部分に光学部が設けられると共に、該光学部の外周側に周辺部が設けられており全体として角膜の表面に重ね合わせて装用されるコンタクトレンズを、該光学部に対して互いに異なるレンズ度数：Ｐが設定された複数種類組み合わせて取り揃えたコンタクトレンズのシリーズであって、前記光学部のレンズ度数：Ｐが「０ディオプタ＜Ｐ」の範囲に設定された前記コンタクトレンズにおいて、レンズ前面における前記光学部と前記周辺部の接続部位よりもレンズ後面における該光学部と該周辺部の接続部位をレンズ中心軸に直交するレンズ径方向で外方に位置せしめられている一方、レンズ中心軸上のレンズ厚さが０．０３〜０．５０mmとされていると共に、レンズ前面における該光学部と該周辺部の接続部位のレンズ厚さ：ＴFJが０．０５mm以上とされており、且つレンズ後面における該光学部と該周辺部の接続部位のレンズ厚さ：ＴBJが該光学部のレンズ度数：Ｐに応じて以下（１），（２）に従う厚さ寸法とされているコンタクトレンズのシリーズを、特徴とする。
【００２５】
（１）レンズ前面における前記光学部の直径寸法：ＤFOZ が「ＤFOZ ＜７．０mmの場合」
１．２３８  ≦  ＴBJ／ＴFJ  ≦  １．４７０
（２）レンズ前面における前記光学部の直径寸法：ＤFOZ が「ＤFOZ ≧７．０mmの場合」
Σ（Ａi ・１０-i・Ｐi ）≦ＴBJ／ＴFJ≦Σ（Ｂi ・１０-i・Ｐi ）
Ａ0 ＝＋１．２０６６
Ａ1 ＝−０．０３９８
Ａ2 ＝−０．１３４１
Ａ3 ＝＋０．０１３９
Ｂ0 ＝＋１．４３２８
Ｂ1 ＝−０．０５１６
Ｂ2 ＝−０．１４３６
Ｂ3 ＝＋０．０１５３
【００２６】
このような本態様に従う構造とされたコンタクトレンズにおいては、特に「プラスレンズ」と称される正屈折力を有するものにおいて、前記コンタクトレンズのシリーズに関する本発明の第一の態様に従う構造とされたコンタクトレンズと同様に、光学部によるレンズの形状保持効果を把握してそれを利用しつつ、周辺部によって形状保持効果を有効に補完することが可能となる。しかも、光学部のレンズ度数に応じて特定の条件を満足するように周辺部が形状設定されることにより、光学部の光学特性の設計自由度を充分に確保しつつ、且つコンタクトレンズの装用感を良好に保ちつつ、優れたレンズの形状保持特性が実現可能となるのである。
【００２７】
また、本態様においては、周辺部の形状を、レンズ前面における前記光学部の直径寸法：ＤFOZ を考慮して設定するようにしたことにより、前記コンタクトレンズのシリーズに関する本発明の第二の態様に係るコンタクトレンズと同様に、光学部による形状保持効果に応じた周辺部の形状保持効果が設定されることとなり、形状保持効果と装用感の両立がレンズ全体で高度に実現可能となる。即ち、光学部径が大きい場合には、光学部における正屈折力がより強度になった場合に、特に中央部分が厚肉となる光学部における有効な形状保持効果を利用することにより、問題となり易い周辺部における過度の厚肉化を回避して良好な装用感を達成することが出来ると共に、光学部径が小さい場合には、光学部において不足しがちな形状保持効果を周辺部によって効果的に補完することが可能となるのである。
【００２８】
また、コンタクトレンズのシリーズに関する本発明の第六の態様は、前記第一乃至第五の何れかの態様に係るコンタクトレンズのシリーズであって、前記コンタクトレンズにおいて、レンズ前面とレンズ後面の少なくとも一方において、径方向断面で前記光学部と前記周辺部の各端部に対して共通接線をもって接続されると共に、それら光学部と周辺部の各端部間に亘って接線の傾斜角度が連続して変化する滑らかな連続面形状を有する接続面が形成されており、該接続面により前記光学部と周辺部の接続部位が構成されていることを、特徴とする。このような本態様においては、それぞれ異なる要求特性を満足するように異なる断面形状が設定された光学部と周辺部を、それらの接続部位において、径方向所定幅をもって形成された接続面によって滑らかに接続することが出来るのであり、それによって、光学部や周辺部の形状、延いては要求特性に影響を与えることなく、レンズ表面の接続部位にエッジ（折れ点）が形成されることに起因する装用感の低下が有利に回避され得るのである。
【００２９】
なお、かかる第六の態様に従う構造の他、例えば周辺部において比較的に自由なレンズ面の形状設計が許容される場合には、レンズ前面およびレンズ後面の少なくとも一方において、光学部の外周縁部に接する周辺部の内周縁部の傾斜角度を光学部の外周縁部の傾斜角度に等しく設定することにより、光学部と周辺部を接続部位において直接に且つ共通接線を有する滑らかな面をもって接続することも可能であり、そのようなレンズ面形状を採用することにより、第六の態様に従う構造とされたコンタクトレンズと同様に、装用感の更なる向上が図られ得ることとなる。
【００３０】
また、コンタクトレンズのシリーズに関する本発明の第七の態様は、前記第一乃至第六の何れかの態様に係るコンタクトレンズのシリーズであって、前記コンタクトレンズにおいて、レンズ前面における前記周辺部が、２次以上の多項式，円錐曲線およびスプライン曲線の少なくとも一つ又はこれらの組み合わせによって定義される径方向断面形状とされていることを、特徴とする。このような本態様に従えば、周辺部のレンズ表面を滑らかな面形状をもって、且つ大きな自由度で設計することが出来るのであり、それによって、例えば、光学部に対して直接に共通接線をもった滑らかな面で接続せしめられると共に、レンズ後面における光学部と周辺部の接続部位に目的とする厚さ寸法が設定されて、且つレンズ最外周に形成されるエッジ部に対して滑らかに接続せしめられるような周辺部のレンズ表面形状を、レンズ前面において容易に設定することも可能となるのである。
【００３１】
また、コンタクトレンズのシリーズに関する本発明の第八の態様は、前記第一乃至第七の何れかの態様に係るコンタクトレンズのシリーズであって、前記コンタクトレンズにおいて、レンズ後面の径方向断面において、前記周辺部の少なくとも一部が円弧形状とされていることを、特徴とする。このような本態様においては、レンズ後面の周辺部を比較的容易に設計することが可能であり、好適には、レンズ後面において周辺部の曲率半径が光学部の曲率半径よりも大きく設定されることとなり、また、かかる周辺部において曲率半径の異なる断面円弧形状部分を２つ以上径方向に連接形成すると共に、光学部に近い内周側に位置する断面円弧形状の部分よりも外周側に位置する断面円弧形状部分を大きな曲率半径とした構成も、有利に採用され得る。
【００３２】
また、コンタクトレンズのシリーズに関する本発明の第九の態様は、前記第一乃至第八の何れかの態様に係るコンタクトレンズのシリーズであって、前記コンタクトレンズが、軟性材料からなるソフトコンタクトレンズであることを、特徴とする。本態様に従えば、ソフトコンタクトレンズに対して本発明を適用することにより、光学部に要求されるレンズ度数を高精度に確保しつつ、且つ光学部や周辺部を十分に薄肉として酸素透過性を高度に維持したままで、ソフトコンタクトレンズにおいて大きな問題であった形状保持特性が効果的に向上され得るのであり、それによって、例えば装用時に指に載せた際の指表面へのまとわりつき等が軽減されて良好なハンドリング性が発揮されると共に、レンズ表裏の判定も容易に判定することが可能となるのである。
【００３３】
なお、前記コンタクトレンズのシリーズに関する本発明の第一乃至第八の態様に係るコンタクトレンズは、何れも、高含水，中含水，低含水，非含水の各種ソフトコンタクトレンズだけでなく、ハードコンタクトレンズに対しても適用可能であり、それによって、レンズ全体での強度特性や耐変形特性を十分に確保しつつ、レンズの薄肉化が実現され得ることとなり、以て、要求される光学特性を高度に満足せしめつつ、装用感の向上と取扱性や強度特性の全体的な向上が実現可能となるのである。
【００３４】
さらに、コンタクトレンズに関する本発明の第三の態様は、レンズ中央部分に光学部が設けられると共に該光学部の外周側に周辺部が設けられており、全体として角膜の表面に重ね合わせて装用されるコンタクトレンズであって、該光学部のレンズ度数：Ｐによって特定される以下の（ｉ）、（ｉｉ）、（ｉｉｉ）の何れか一つの条件に従った形状を有しているコンタクトレンズを、特徴とする。
（ｉ）  レンズ度数：Ｐが「−１０ディオプタ≦Ｐ≦０ディオプタ」とされており、レンズ前面における前記光学部と前記周辺部の接続部位よりもレンズ後面における該光学部と該周辺部の接続部位がレンズ中心軸に直交するレンズ径方向で外方に位置せしめられている一方、レンズ中心軸上のレンズ厚さが０．０３〜０．５０mmとされていると共に、レンズ前面における該光学部と該周辺部の接続部位のレンズ厚さ：ＴFJが０．０５mm以上とされており、且つレンズ後面における該光学部と該周辺部の接続部位のレンズ厚さ：ＴB が該光学部のレンズ度数：Ｐに応じて以下に従う厚さ寸法とされている。
Σ（Ａi ・１０-i・Ｐi ）≦ＴBJ／ＴFJ≦Σ（Ｂi ・１０-i・Ｐi ）
Ａ0 ＝＋１．２３８２
Ａ1 ＝−０．１７４１
Ａ2 ＝−１．４７１１
Ａ3 ＝−０．９３５５
Ｂ0 ＝＋１．４６９９
Ｂ1 ＝−０．２５２３
Ｂ2 ＝−１．９８９７
Ｂ3 ＝−１．２６０３
（ｉｉ）  レンズ度数：Ｐが「Ｐ＜−１０ディオプタ」とされており、レンズ前面における前記光学部と前記周辺部の接続部位よりもレンズ後面における該光学部と該周辺部の接続部位がレンズ中心軸に直交するレンズ径方向で外方に位置せしめられている一方、レンズ中心軸上のレンズ厚さが０．０３〜０．５０mmとされていると共に、レンズ前面における該光学部と該周辺部の接続部位のレンズ厚さ：ＴFJを０．０５mm以上とされており、且つレンズ後面における該光学部と該周辺部の接続部位のレンズ厚さ：ＴBJが該光学部のレンズ度数：Ｐに応じて以下に示す条件式に従う厚さ寸法とされている。
（１）レンズ前面における前記光学部の直径寸法：ＤFOZ が「ＤFOZ ＜７．０mmの場合」
０．８７７  ≦  ＴBJ／ＴFJ  ≦  ０．９９３
（２）レンズ前面における前記光学部の直径寸法：ＤFOZ が「ＤFOZ ≧７．０mmの場合」
Σ（Ａi ・１０-i・Ｐi ）≦ＴBJ／ＴFJ≦Σ（Ｂi ・１０-i・Ｐi ）
Ａ0 ＝＋１．７９８０
Ａ1 ＝＋１．４３３０
Ａ2 ＝＋０．５８２４
Ａ3 ＝＋０．０８１４
Ｂ0 ＝＋２．０１８４
Ｂ1 ＝＋１．５８２７
Ｂ2 ＝＋０．６２９８
Ｂ3 ＝＋０．０８７１
（ｉｉｉ）  レンズ度数：Ｐが「Ｐ＜−１０ディオプタ」とされており、レンズ前面における前記光学部と前記周辺部の接続部位よりもレンズ後面における該光学部と該周辺部の接続部位がレンズ中心軸に直交するレンズ径方向で外方に位置せしめられている一方、レンズ中心軸上のレンズ厚さが０．０３〜０．５０mmとされていると共に、レンズ前面における該光学部と該周辺部の接続部位のレンズ厚さ：ＴFJを０．０５mm以上とされており、且つレンズ後面における該光学部と該周辺部の接続部位のレンズ厚さ：ＴBJが該光学部のレンズ度数：Ｐに応じて以下に示す条件式に従う厚さ寸法とされている。
（１）レンズ前面における前記光学部の直径寸法：ＤFOZ が「ＤFOZ ＜７．０mmの場合」
１．２３８  ≦  ＴBJ／ＴFJ  ≦  １．４７０
（２）レンズ前面における前記光学部の直径寸法：ＤFOZ が「ＤFOZ ≧７．０mmの場合」
Σ（Ａi ・１０-i・Ｐi ）≦ＴBJ／ＴFJ≦Σ（Ｂi ・１０-i・Ｐi ）
Ａ0 ＝＋１．２０６６
Ａ1 ＝−０．０３９８
Ａ2 ＝−０．１３４１
Ａ3 ＝＋０．０１３９
Ｂ0 ＝＋１．４３２８
Ｂ1 ＝−０．０５１６
Ｂ2 ＝−０．１４３６
Ｂ3 ＝＋０．０１５３
【００３５】
このような本態様に従うコンタクトレンズも、前記コンタクトレンズのシリーズに関する発明と同様な基本的技術思想に基づいて完成されたものであって、レンズ後面における光学部と周辺部の接続部位を、レンズ前面における光学部と周辺部の接続部位よりも径方向外方に位置せしめて、かかるレンズ後面の接続部位の厚さ寸法を調節することによって、光学部の光学特性への影響を回避しつつ周辺部における形状保持効果を調節することが出来るのであり、特に、光学部のレンズ度数をレンズ形状の判断値に利用したことにより、光学部分における形状保持効果を考慮して、光学部分の形状保持効果が十分でない場合には、周辺部における形状保持効果を高めて光学部の形状保持効果を補填するように作用せしめることが可能とされ得たのであって、その結果、光学部の光学特性を高精度に確保しつつ、光学部の形状保持効果に応じて周辺部の形状保持効果を適宜に調節せしめて、最終的に、小さな厚さ寸法で、レンズ全体として有効な形状保持効果を実現せしめ得るレンズ形状を有利に且つ容易に設計することが可能となるのである。
【００３６】
従って、このような本態様によれば、光学特性を高精度に確保しつつ、レンズ全体として、良好な取扱性（ハンドリング性）と装用感を両立的に高度に実現せしめ得るコンタクトレンズを、容易に提供することが出来るのである。なお、本態様は、特に、高含水，中含水，低含水，非含水の各種ソフトコンタクトレンズに対して好適に採用されるが、それ以外のハードコンタクトレンズに対しても適用可能であり、それによって、要求される光学特性を満足せしめつつ、装用感の向上と取扱性や強度特性の全体的な向上が有利に実現可能となる。
【００３７】
更にまた、前記コンタクトレンズに関する本発明の第三の態様においては、レンズ度数：Ｐが「−６ディオプタ≦Ｐ≦０ディオプタ」であることを条件として、前記（ｉ）よりも優先的に以下の（ｉｖ）に従う形状とする態様が、好適に採用され得る。
（ｉｖ）  レンズ中心軸上のレンズ厚さが０．０３〜０．５０mmとされていると共に、レンズ前面における前記光学部と前記周辺部の接続部位のレンズ厚さ：ＴFJが０．０５mm以上とされている一方、レンズ前面における該光学部と該周辺部の接続部位よりもレンズ後面における該光学部と該周辺部の接続部位がレンズ中心軸に直交するレンズ径方向で外方に位置せしられており、且つかかるレンズ後面における該光学部と該周辺部の接続部位のレンズ厚さ：ＴBJが以下に示す条件式に従う厚さ寸法とされている。
ＴBJ／ＴFJ  ≧  １
このような本態様に従えば、レンズ度数：Ｐが０〜−６ディオプタの場合に、光学部において好ましいレンズ形状や厚さ寸法を設定するに際して、光学部で不十分となり易い形状保持効果を周辺部で効率的に補うことが可能となり、それによって、光学部に要求される光学特性や、薄肉寸法による装用感等を高度に保ちつつ、レンズ全体として優れた形状保持効果に基づく良好な取扱性が発揮され得るコンタクトレンズの形状設計が、容易に実現可能となるのである。
【００３８】
なお、コンタクトレンズに関する本発明に従うコンタクトレンズの製作は、決定されたレンズ形状を実現するように、材料やレンズ度数等を考慮して従来から公知の各種のコンタクトレンズ製造方法に従って実施されることとなり、例えば重合体を切削研磨加工することによって製作する他、目的とするレンズ形状を有する成形キャビティを備えた成形型に単量体組成物を注入して重合と同時に成形したり、或いは、レンズ片面を重合と同時に型成形した後で他方のレンズ面を切削研磨で成形することによって、また、回転型内に単量体組成物を注入して遠心力でスピンキャスト成形すること等によって、有利に製作され得る。
【発明の効果】
【００３９】
上述の説明から明らかなように、本発明に従う構造とされたコンタクトレンズにおいては、レンズ後面における光学部と周辺部の接続部位をレンズ前面における光学部と周辺部の接続部位よりも径方向外方に離隔位置せしめた特徴的な基本形状を採用した上で、光学部に設定されるレンズ度数に応じて、それらレンズ後面と前面の両接続部位における肉厚寸法の相対比を、特定の条件を満足するように調節設定するようにしたことにより、レンズ全体を十分に薄肉として装用感を良好に保ちつつ、レンズ全体で優れたレンズの形状保持特性を持たせて良好な取扱性を発揮させることが可能となるのである。
【００４０】
また、本発明に従えば、レンズ度数を考慮して、レンズ後面における光学部と周辺部の接続部位とレンズ前面における光学部と周辺部の接続部位の相対的な厚さ寸法を設定することにより、光学部による形状保持効果と周辺部による形状保持効果の両方を全体として把握することが出来るのであり、その結果、レンズの厚肉化を回避しつつ、レンズの形状保持特性を効果的に設計付与することが可能となって、優れた装用感と良好な取扱性を両立して高度に実現され得るコンタクトレンズデザインを容易に提供することが出来るのである。
【発明を実施するための最良の形態】
【００４１】
以下、本発明を更に具体的に明らかにするために、本発明の実施形態について、図面を参照しつつ、詳細に説明する。
【００４２】
先ず、図１〜２には、本発明に従う構造とされたコンタクトレンズ１０の具体的構造例が示されている。かかるコンタクトレンズ１０は、全体として略球殻形状を有しており、良く知られているように、眼球における角膜の表面に重ね合わせて装用されることによって使用されるようになっている。なお、本実施形態のコンタクトレンズ１０は、レンズ中心軸が光軸とされており、このレンズ中心軸１４回りの回転体形状とされていることから、図１においては、半径方向の縦断面だけを示しておく。
【００４３】
より詳細には、本実施形態のコンタクトレンズ１０の中央部分には、レンズ前後面にそれぞれ円形状の前面光学部１９と後面光学部１８が形成されており、これら前後面光学部１９，１８によって、レンズ中央部分には、視力矯正のための適当なレンズ度数が設定された光学部（optical zone）が形成されている。また、前面光学部１９と後面光学部１８は、何れも、光軸方向での正面視においてレンズ中心軸１４を中心とする円形状とされているが、これら前後面光学部１９，１８の外径寸法は、互いに異なっており、前面光学部１９の外径寸法：ＤFOZ がレンズ外径寸法：Ｄの略６０％に設定されている一方、後面光学部１８の外径寸法：ＤBOZ は、レンズ外径寸法：Ｄの略８０％に設定されている。なお、コンタクトレンズ１０の外径寸法：Ｄや、前後面光学部１９，１８の外径寸法：ＤFOZ ，ＤBOZ 等は、装用者の角膜や強膜の大きさや装用条件等を考慮して適宜に設定されるものであって、限定されるものでないが、良好な光学特性と涙液交換性やレンズ位置安定性を実現するためには、一般に、０．５５≦ＤFOZ ／Ｄ≦０．８５で、且つ０．７０≦ＤBOZ ／Ｄ≦０．９０となるように設定することが望ましい。
【００４４】
また、コンタクトレンズ１０の後面光学部１８は、装着される角膜の表面に対して装用状態下で略相似形となるように、レンズ中心軸１４上でレンズ後方（図１中の右方）に曲率中心が設定されて、適当な曲率半径：ｒBOZ をもった凹形の縦断面形状を有するベースカーブ面とされている。これにより、コンタクトレンズ１０の装用状態下で後面光学部１８と角膜の表面の間に形成される涙液層の層厚寸法が、全体に亘って略一定とされて、涙液層によるレンズ作用が軽減乃至は回避されるようになっている。なお、かかるベースカーブ面の縦断面形状としては、装用者の角膜の形状や装用条件等を考慮して、例えば曲率半径：ｒBOZ が一定の円弧形状の他、曲率半径：ｒBOZ が径方向で変化する円錐曲線形状等の各種湾曲凹面形状が適宜に採用され得る。そして、かかる後面光学部１８は、例えば、レンズ中心軸１４を回転中心軸とする回転体形状とされる。
【００４５】
また一方、コンタクトレンズ１０の前面光学部１９は、上述の如く設定されたベースカーブ面と協働して目的とするレンズ度数を与え得る湾曲面形状として設計されており、特に本実施形態では、レンズ中心軸１４上でレンズ後方に曲率中心が設定されて、適当な曲率半径：ｒFOZ をもった縦断面形状を有する湾曲凸状面とされている。なお、この前面光学部（フロントカーブ面）１９も、ベースカーブ面１８の形状や要求されるレンズ度数，装用条件等を考慮して、例えば曲率半径：ｒBOZ が一定の円弧形状の他、曲率半径：ｒBOZ が径方向で変化する円錐曲線形状等の各種湾曲凸面形状が適宜に採用され得る。そして、かかる前面光学部１９は、例えば、レンズ中心軸１４を回転中心軸とする回転体形状とされる。
【００４６】
なお、これら前後面光学部１９，１８によって形成される光学部は、装用者の眼に対する光学的効果が期待される領域であって、その外周縁部、換言すれば後述する周辺部との境界は、一般に、レンズ前面およびレンズ後面においてそれぞれ縦断面上での曲率の変化点としてとらえることが出来るが、例えば、光学部のレンズ面が半径方向で漸変するような縦断面形状で設計されている場合や、或いはかかる境界が径方向に所定幅をもって形成されてレンズ前後面間で光学部と周辺部を滑らかに繋ぐ接続領域等によって形成される場合等、レンズ前後面における光学部と周辺部の境界は、形状的に線（ライン）として必ずしも明確である必要はない。
【００４７】
また、コンタクトレンズ１０の外周部分には、光学部の周りを囲むようにして周辺部（peripheral zone)とエッジが形成されている。エッジ２４は、コンタクトレンズ１０の最外周縁部において円環形状で形成されており、レンズ縦断面において、略半円形状の外周端面から内方に伸び出して形成された面取り状のレンズ前後面を備えており、かかる面取り状のレンズ前後面によってエッジ２４のレンズ前後面が前後面周辺部２６，２８に対して接続されている。なお、図面上では、レンズ前面においてだけ、前面周辺部２６とエッジ２４の間に面取り状のレンズ面が明示されている。
【００４８】
更にまた、周辺部は、前後面光学部１９，１８の外周側に位置せしめられたレンズの前後面周辺部２６，２８によって形成されている。これらの前後面周辺部２６，２８は、それぞれ、レンズ中心軸１４を中心として所定の径方向幅寸法をもって周方向に連続して延びる円環形状とされており、その径方向幅寸法：ＢFPZ , ＢBPZ が互いに異なっているが、前後面周辺部２６，２８の何れにおいても、コンタクトレンズ１０の前後面光学部１９，１８とエッジ２４のレンズ前後面の間に跨がって設けられており、コンタクトレンズ１０の前後面周辺部２６，２８の内周縁部が、前後面光学部１９，１８に接続されている。
【００４９】
ここにおいて、周辺部における後面周辺部２８は、縦断面形状において、所定の曲率半径：ｒBPZ で広がる単一の円弧形の断面形状の他、曲率半径：ｒBPZ が径方向に変化する各種形状も適宜に採用可能であり、例えば、径方向外方に行くに従って次第に大きくなる曲率半径をもって連接された複数の円弧形状や、径方向外方に行くに従って曲率半径が次第に大きくなる多項式形状，円錐曲線形状等の各種の形状も、適宜に採用され得る。なお、後面光学部１８と後面周辺部２８の接続部位（「バックジャンクション」という）３０は、縦断面において折れ点となっていても良いが、後面光学部１８と後面周辺部２８を共通接線をもって接続される形状に設定することも可能であり、或いは、明確なエッジを持たないように適当な円弧を付して、かかる接続部位３０をレンズ径方向に所定幅をもって滑らかに形成しても良い。そして、このような後面周辺部２８は、一般に、コンタクトレンズ１０と角膜の間に形成される涙液層における涙液交換性等を考慮して適当な曲率半径が設定されることとなり、一般的な視力矯正用コンタクトレンズでは、後面光学部１８よりも大きな曲率半径をもって後面周辺部２８が形成される。
【００５０】
また一方、周辺部における前面周辺部２６には、縦断面形状において、光学部における形状保持効果をも考慮した特別な湾曲形状が設定されており、それによって、コンタクトレンズにおいて必要とされる有効な形状保持効果が、それら光学部と周辺部の協働によって効率的に発揮されるようになっている。
【００５１】
すなわち、先ず、コンタクトレンズ１０は、その光学部の肉厚寸法が、レンズ中心軸１４上での厚さ寸法：ＴC の値が０．０３mm≦ＴC ≦０．５０mmで、且つレンズ前面における光学部と周辺部の接続部位（「フロントジャンクション」という）３２での厚さ寸法：ＴFJの値が０．０５mm≦ＴFJとなるように設定される。
【００５２】
なお、かかる設定は、例えば、近視用（マイナスディオプタ）のコンタクトレンズの設計の場合には、先ず、装用される角膜の表面形状等を考慮してベースカーブ（後面光学部）１８の形状を決定し、次いで、かかるベースカーブ１８の形状を考慮して要求されるレンズ度数を実現する前面光学部１９の形状を設計する。続いて、この設計された前面光学部１９の外周縁部、即ちフロントジャンクション３２のベースカーブ１８に対する相対位置を、フロントジャンクション３２での厚さ寸法：ＴFJの値が０．０５mmとなるように仮設定し、かかる仮設定状態下でのレンズ中心軸１４上での厚さ寸法：ＴC の値をチェックする。そして、この厚さ寸法：ＴC の値が０．０３mm以上あるか否かを判定し、０．０３mm≦ＴC であれば、上記仮設定した前面光学部１９を正規の形状として採用するようにする。一方、判定した結果、レンズ中心軸１４上での厚さ寸法：ＴC の値が０．０３mmに満たなければ、フロントジャンクション３２での厚さ寸法：ＴFJの値を僅かに大きく変更して仮設定をやり直し、同様な判定手法によってレンズ中心軸１４上での厚さ寸法：ＴC の値が、０．０３mm≦ＴC ≦０．５０mmの条件を満足するまで設定変更の作業を行って、かかる条件を満足した時の仮設定値を光学部のレンズ前面（前面光学部１９）の正規形状として採用する。
【００５３】
なお、遠視用（プラスディオプタ）のコンタクトレンズの設計の場合にも、基本的には同じ手法に従うが、例えば、フロントジャンクション３２のベースカーブ１８に対する相対位置を仮設定するに際して、先ず、レンズ中心軸１４上での厚さ寸法：ＴC の値が０．０３mmとなるように仮設定し、かかる仮設定状態下でのフロントジャンクション３２での厚さ寸法：ＴFJの値が０．０５mm以上あるか否かを判定することによって、レンズ中心軸１４上での厚さ寸法とフロントジャンクションでの厚さ寸法が、何れも前記条件を満足するように、前面光学部１９のレンズ形状を設計する手法が、好適に採用され得る。
【００５４】
なお、このことから明らかなように、正負何れの屈折力を有するコンタクトレンズにおいても、ＴFJの値は、０．０５mm以上で且つ０．０３mm≦ＴC ≦０．５mmを満足する範囲で上限を定められることによって、充分に小さい寸法に設定されることとなる。また、ＴC の値は０．０３mm〜０．５０mmの範囲で、またＴFJの値は０．０５mm以上で範囲で、それぞれ、レンズ材料等を考慮して適宜に条件設定され得る。
【００５５】
すなわち、このような設計手法に従えば、レンズ中心軸１４上のレンズ厚さ：ＴC が０．０３〜０．５０mmであると共に、レンズ前面における前面光学部１９と前面周辺部２６の接続部位３２のレンズ厚さ寸法：ＴFJが０．０５mm以上である光学部のレンズ形状を、効率的に設計することが出来るのである。しかも、このようなレンズ厚さ条件を満足するように設計された光学部は、外径寸法が適宜に定められるが、設定されたレンズ度数に応じて略同じ形状および厚さを有することとなる。なお、上述のＴFJ，ＴC の具体値は、例示のものに限定されることはなく、例えば近視用のコンタクトレンズの設計に際して、先ずＴFJの値を０．１０mm、或いは０．０５mm以上の任意の値に設定すると共に、ＴC の値が０．０３mm≦ＴC ≦０．５０mm、或いは０．０５mm≦ＴC ≦０．５０mmなどのより狭い特定の領域の条件を満足するように設定しても良い。
【００５６】
そして、このようにして設計した各種の異なるベースカーブやフロントカーブ，レンズ度数を備えた多数のソフトコンタクトレンズについて、それぞれ、周辺部の形状や厚さ寸法を各種異ならせて製作し、それら多数のソフトコンタクトレンズについて、コンタクトレンズ装用経験のある多数のモニタによる評価を実施した。かかる評価は、下記〔表１〕に一部結果データを例示するように、ソフトコンタクトレンズのハンドリング性を兼ねた表裏判定評価と、異物感や刺激等の装用感の評価、および視覚的乃至は光学的なフィッティング性評価とによって行った。なお、実施した評価は膨大な量となるので、ここでは各個別の評価データの掲載は割愛し、得られた多数の評価データを統計処理したものを、図３にグラフ化して示す。
【００５７】
また、レンズ度数：Ｐが０ディオプタよりプラス側の正屈折力レンズ、および−１０ディオプタよりマイナス側のハイマイナスの負屈折力レンズでは、特に近視矯正用に多用されている−１０ディオプタ≦Ｐ≦０ディオプタのレンズ度数：Ｐを有するコンタクトレンズと異なり、光学部の径寸法、具体的にはレンズ前面の光学部外径寸法：ＤFOZ の値によって評価結果を分けて考えることが妥当である。
【００５８】
即ち、先ず、Ｐ＜−１０ディオプタのハイマイナスの屈折力を有するコンタクトレンズにおいては、得られた多数の評価データを統計処理した結果、ＤFOZ ＜７mmの場合には、レンズ度数：Ｐが異なっても、「Ｐ＝−１０ディオプタ」の場合の評価結果と大きな変化が認められなかったが、ＤFOZ ≧７mmの場合には、周辺部の形状や厚さによる評価結果が、レンズ度数：Ｐの値に応じて変化することが確認されたのであり、その得られた多数の評価データを統計処理したものを、図４にグラフ化して示す。
【００５９】
更に、同様に、０ディオプタ＜Ｐの正屈折力を有するコンタクトレンズにおいては、得られた多数の評価データを統計処理した結果、ＤFOZ ＜７mmの場合には、レンズ度数：Ｐが異なっても、「Ｐ＝０ディオプタ」の場合の評価結果と大きな変化が認められなかったが、ＤFOZ ≧７mmの場合には、周辺部の形状や厚さによる評価結果が、レンズ度数：Ｐの値に応じて変化することが確認されたのであり、その得られた多数の評価データを統計処理したものを、図５にグラフ化して示す。
【００６０】
なお、図３〜５に結果が示された、上述の評価に採用したコンタクトレンズの材料は、ＨＥＭＡ（ハイドロキシエチルメタクリレート）系であったが、その他の材料からなるソフトコンタクトレンズについても、一般に採用される材料の強度特性を有するものである限り、同様な評価結果が確認されている。
【００６１】
【表１】
2007286644.tif 000003
【００６２】
かかる図３，４，５において、上限評価線と下限評価線で挟まれた領域が、殆どのモニタの評価結果が、表裏判定性と装用感，フィッティング性の何れに関しても良好であった範囲である。この結果から明らかなように、前述の如く、光学部の肉厚寸法に関して、レンズ中心軸１４上での厚さ寸法：ＴC の値が０．０３mm≦ＴC ≦０．５０mmで、且つレンズ前面における前面光学部１９と前面周辺部２６の接続部位３２での厚さ寸法：ＴFJの値が０．０５mm≦ＴFJとなる条件を満足するように設計したコンタクトレンズにあっては、装用感やハンドリング性（表裏判定等の取扱性）の良否に関して、設定レンズ度数（POWER)：Ｐの値と、バックジャンクションとフロントジャンクションの比：ＴBJ／ＴFJの値との間に、特定の関係のあることが認められる。
【００６３】
そして、このような評価結果（特に、図３参照）から、先ず第一に、レンズ度数：Ｐの値が、−６ディオプタ≦Ｐ≦０ディオプタである場合には、前述の如く、レンズ中心軸１４上での厚さ寸法：ＴC の値が０．０３mm≦ＴC ≦０．５０mmで、且つレンズ前面における前面光学部１９と前面周辺部２６の接続部位３２での厚さ寸法：ＴFJの値が０．０５mm≦ＴFJとなるようにすると共に、フロントジャンクション３２よりもバックジャンクション３０を径方向外方に位置せしめて、フロントジャンクション３２とバックジャンクション３０における各レンズ厚さ寸法の比：ＴBJ／ＴFJの値を、少なくとも１以上に設定することが有効であり、それによって、レンズ厚さの過度の厚肉化を回避して、薄肉で良好な装用感を実現せしめつつ、光学部における形状保持特性を周辺部で補って、レンズ全体として良好な形状保持特性を達成せしめることが可能となるということが認められるのである。
【００６４】
要するに、従来のコンタクトレンズでは、前述の背景技術欄に示した公開公報にも記載されているように、フロントジャンクションの肉厚寸法を大きく設定することが形状保持特性の向上に有効であると考えられており、フロントジャンクションよりもバックジャンクションの肉厚寸法を小さく設定することが一般的であったのであるが、上述の評価結果から明らかなように、レンズ中心軸１４上での厚さ寸法やフロントジャンクション３２での厚さ寸法およびバックジャンクション３０とフロントジャンクション３２の相対位置関係に関して前述の如き特定のレンズ形状を採用した結果、少なくとも−６ディオプタ≦Ｐ≦０ディオプタの範囲では、バックジャンクション３０の厚さ寸法：ＴBJをフロントジャンクション３２の厚さ寸法：ＴFJ以上に大きく設定することが有効であり、それによって、良好な装用感と取扱性が両立的に達成可能となるのである。
【００６５】
さらに、第二として、前述の評価結果（特に、図３，４，５参照）から、前述の如く、レンズ中心軸１４上での厚さ寸法：ＴC の値が０．０３mm≦ＴC ≦０．５０mmで、且つレンズ前面における前面光学部１９と前面周辺部２６の接続部位３２での厚さ寸法：ＴFJの値が０．０５mm≦ＴFJとなるようにすると共に、フロントジャンクション３２よりもバックジャンクション３０を径方向外方に位置せしめて、フロントジャンクション３２とバックジャンクション３０における各レンズ厚さ寸法の比：ＴBJ／ＴFJの値を、レンズ度数：Ｐの値に応じて、特定の条件式を満足するように決定することによって、良好な装用感と取扱性が両立的に達成可能となることが、認められるのである。
【００６６】
そして、かかる条件式は、上述の評価結果から、図３，４，５に示された上限評価線および下限評価線を用いて、下記の如く表すことが出来る。
【００６７】
（Ｉ）レンズ度数：Ｐが、−１０ディオプタ≦Ｐ≦０ディオプタの場合
Σ（Ａi ・１０-i・Ｐi ）≦ＴBJ／ＴFJ≦Σ（Ｂi ・１０-i・Ｐi ）
但し、Ａ0 ＝＋１．２３８２
Ａ1 ＝−０．１７４１
Ａ2 ＝−１．４７１１
Ａ3 ＝−０．９３５５
Ｂ0 ＝＋１．４６９９
Ｂ1 ＝−０．２５２３
Ｂ2 ＝−１．９８９７
Ｂ3 ＝−１．２６０３
【００６８】
（II）レンズ度数：Ｐが、Ｐ＜−１０ディオプタ（ハイマイナス）の場合
（１）レンズ前面における前記光学部の直径寸法：ＤFOZ が「ＤFOZ ＜７．０mmの場合」
０．８７７  ≦  ＴBJ／ＴFJ  ≦  ０．９９３
（２）レンズ前面における前記光学部の直径寸法：ＤFOZ が「ＤFOZ ≧７．０mmの場合」
Σ（Ａi ・１０-i・Ｐi ）≦ＴBJ／ＴFJ≦Σ（Ｂi ・１０-i・Ｐi ）
但し、Ａ0 ＝＋１．７９８０
Ａ1 ＝＋１．４３３０
Ａ2 ＝＋０．５８２４
Ａ3 ＝＋０．０８１４
Ｂ0 ＝＋２．０１８４
Ｂ1 ＝＋１．５８２７
Ｂ2 ＝＋０．６２９８
Ｂ3 ＝＋０．０８７１
【００６９】
（III)レンズ度数：Ｐが、０＜Ｐディオプタ（正屈折力）の場合
（１）レンズ前面における前記光学部の直径寸法：ＤFOZ が「ＤFOZ ＜７．０mmの場合」
１．２３８  ≦  ＴBJ／ＴFJ  ≦  １．４７０
（２）レンズ前面における前記光学部の直径寸法：ＤFOZ が「ＤFOZ ≧７．０mmの場合」
Σ（Ａi ・１０-i・Ｐi ）≦ＴBJ／ＴFJ≦Σ（Ｂi ・１０-i・Ｐi ）
但し、Ａ0 ＝＋１．２０６６
Ａ1 ＝−０．０３９８
Ａ2 ＝−０．１３４１
Ａ3 ＝＋０．０１３９
Ｂ0 ＝＋１．４３２８
Ｂ1 ＝−０．０５１６
Ｂ2 ＝−０．１４３６
Ｂ3 ＝＋０．０１５３
【００７０】
なお、図３，４，５の各グラフ中には、本実施形態の理解を容易とするために、それぞれ適用されるレンズ度数：Ｐの範囲内において採用される上下限の評価線を上記条件式に従って近似的に求めた結果を、多項式として示した。
【００７１】
以上、本発明の実施形態について詳述してきたが、これはあくまでも例示であって、本発明が、前述の解決手段および実施形態の欄における具体的な記載によって、更に後述するより具体的な実施例の記載によって、何等、限定的に解釈されるものでないことは理解されるべきである。
【００７２】
例えば、前記実施形態では、本発明をソフトコンタクトレンズに対して適用した場合について説明したが、本発明は、例えば公知の各種のハード系レンズ材料からなるハードコンタクトレンズに対しても適用可能であり、それによって、薄肉で装用感に優れると共に、強度特性や形状安定性乃至は耐変形性に優れたハードタイプのコンタクトレンズが有利に実現可能となるのである。
【００７３】
特に、本発明方法は、フロントジャンクション３２とバックジャンクション３０における各レンズ厚さ寸法の比：ＴBJ／ＴFJの値を、レンズ度数：Ｐの値に応じて、特定の条件式を満足するように決定することを大きな特徴とするものであって、実際に採用する具体的な条件式の値は、コンタクトレンズの材料等に応じて調節することが可能であって、そのような具体的条件式の値を、本発明の条件式の範囲に含まれる範囲内において、より狭い範囲に限定的に設定することも可能である。
【実施例】
【００７４】
本発明に従って設計されたコンタクトレンズのより具体的な形状を、実施例１〜７として、図６〜１２に示す。なお、図６〜１２においては、それらの理解を容易とするために、図面中に前記実施形態に対応する各部位に対してそれぞれ前記実施形態と同一の符号や記号を付すると共に、具体的な各部の寸法を図面中に明示する。また、何れの実施例のコンタクトレンズにおいても、レンズ外径寸法：Ｄ，レンズ後面の光学部外径寸法：ＤBOZ の各値を、Ｄ＝１４mm，ＤBOZ ＝１１mmとした。
【００７５】
すなわち、図６に示された実施例１のコンタクトレンズは、縦断面において、レンズ前面の光学部外径寸法：ＤFOZ ＝８mmで、光学部の後面光学部１８が曲率半径：ｒBOZ ＝８．４０mmの円弧形状とされていると共に、前面光学部１９が曲率半径：ｒFOZ ＝８．９３７０mmの円弧形状とされており、これによって、レンズ度数：Ｐ＝−３．００ディオプタとされている。また、レンズ中心軸１４上の厚さ寸法：ＴC ＝０．０９５mmとされていると共に、フロントジャンクション３２の厚さ寸法：ＴFJ＝０．１４４mmとされている。更に、周辺部の後面周辺部２８が曲率半径：ｒBPZ ＝８．６２３１mmの円弧形状とされている。
【００７６】
そして、このような条件下で、図３に示された上下限評価線による条件を満足するように、バックジャンクション３０とフロントジャンクション３２の各厚さ寸法の比：ＴBJ／ＴFJの値が１．２５となるように条件出しを行って周辺部の前面周辺部２６の形状を設定した。なお、本実施例では、バックジャンクション３０の厚さ寸法：ＴBJ＝０．１８mmの点を通ることに加えて、周辺部の内外周縁部が光学部の外周縁部とエッジの内周縁部に対して接続せしめられること、更に前面周辺部２６の内周縁部が前面光学部１９の外周縁部に対して共通接線をもって連続せしめられることを条件として、周辺部の前面周辺部２６の断面形状を、レンズ中心軸１４からの距離をｘとする３次の多項式で設定した。このようにして決定した前面周辺部２６の形状を表す多項式を下記に示す。
【００７７】
ｆ（ｘ）＝ａｘ3 ＋ｂｘ2 ＋ｃｘ＋ｄ
但し、ａ＝−１．９６０７５×１０-2
ｂ＝  １．６９５７２×１０-1
ｃ＝−９．１５９１９×１０-1
ｄ＝  ９．７５５２８
【００７８】
このような形状が付与されたコンタクトレンズにあっては、本発明の条件を満足するものであって、優れた装用感と併せて、表裏の判定容易性などの優れたハンドリング性が発揮され得ることが確認されている。
【００７９】
次に、図７に示された実施例２のコンタクトレンズは、縦断面において、レンズ前面の光学部外径寸法：ＤFOZ ＝８mmで、光学部の後面光学部１８が曲率半径：ｒBOZ ＝８．４０mmの円弧形状とされていると共に、前面光学部１９が曲率半径：ｒFOZ ＝８．５９９５mmの円弧形状とされており、これによって、レンズ度数：Ｄ＝−１．００ディオプタとされている。また、レンズ中心軸１４上の厚さ寸法：ＴC ＝０．１２mmとされていると共に、フロントジャンクション３２の厚さ寸法：ＴFJ＝０．１２９mmとされている。更に、周辺部の後面周辺部２８が曲率半径：ｒBPZ ＝８．６２３１mmの円弧形状とされている。
【００８０】
そして、このような条件下で、図３に示された上下限評価線による条件を満足するように、バックジャンクション３０とフロントジャンクション３２の各厚さ寸法の比：ＴBJ／ＴFJの値が１．３０となるように条件出しを行って周辺部の前面周辺部２６の形状を設定した。なお、本実施例では、バックジャンクション３０の厚さ寸法：ＴBJ＝０．１６８mmの点を通ることに加えて、実施例１と同様に周辺部の内外周縁部が光学部の外周縁部とエッジの内周縁部に対して接続せしめられること、更に前面周辺部２６の内周縁部が前面光学部１９の外周縁部に対して共通接線をもって連続せしめられることを条件として、周辺部の前面周辺部２６の断面形状を、レンズ中心軸１４からの距離をｘとする３次の多項式で設定した。このようにして決定した前面周辺部２６の形状を表す多項式を下記に示す。
【００８１】
ｆ（ｘ）＝ａｘ3 ＋ｂｘ2 ＋ｃｘ＋ｄ
但し、ａ＝−２．３６８１３×１０-2
ｂ＝  ２．４０８５５×１０-1
ｃ＝−１．３１５５８
ｄ＝  １．０４５７３×１０
【００８２】
このような形状が付与されたコンタクトレンズも、実施例１のものと同様に、本発明の条件を満足するものであって、優れた装用感と併せて、表裏の判定容易性などの優れたハンドリング性が発揮され得ることが確認されている。
【００８３】
さらに、図８に示された実施例３のコンタクトレンズは、縦断面において、レンズ前面の光学部外径寸法：ＤFOZ ＝８mmで、光学部の後面光学部１８が、頂点半径：ＶｒBOZ ＝８．４０mm，離心率：ｅ＝０．５のレンズ中心軸１４を回転中心軸とする回転二次曲面である円錐曲面とされていると共に、前面光学部１９が、頂点半径：ＶｒFOZ ＝８．９３６９９mm，コニック係数：ｋ＝０．１４８１９３のレンズ中心軸１４を回転中心軸とする回転二次曲面である円錐曲面とされており、これによって、レンズ度数：Ｄ＝−３．００ディオプタとされている。また、レンズ中心軸１４上の厚さ寸法：ＴC ＝０．０９５mmとされていると共に、フロントジャンクション３２の厚さ寸法：ＴFJ＝０．１３７mmとされている。更に、周辺部の後面周辺部２８が、頂点半径：ＶｒBPZ ＝８．７５４５５mm，離心率：ｅ＝０．５のレンズ中心軸１４を回転中心軸とする回転二次曲面である円錐曲面とされている。
【００８４】
そして、このような条件下で、図３に示された上下限評価線による条件を満足するように、バックジャンクション３０とフロントジャンクション３２の各厚さ寸法の比：ＴBJ／ＴFJの値が１．２５となるように条件出しを行って周辺部のレンズ前面２６の形状を設定した。なお、本実施例では、バックジャンクション３０の厚さ寸法：ＴBJ＝０．１７１mmの点を通ることに加えて、実施例１と同様に周辺部の内外周縁部が光学部の外周縁部とエッジの内周縁部に対して接続せしめられること、更に前面周辺部２６の内周縁部が前面光学部１９の外周縁部に対して共通接線をもって連続せしめられることを条件として、周辺部の前面周辺部２６の断面形状を、レンズ中心軸１４からの距離をｘとする３次の多項式で設定した。このようにして決定した前面周辺部２６の形状を表す多項式を下記に示す。
【００８５】
ｆ（ｘ）＝ａｘ3 ＋ｂｘ2 ＋ｃｘ＋ｄ
但し、ａ＝−１．０９３５６×１０-2
ｂ＝  ６．７９９５７×１０-2
ｃ＝−５．１０５６８×１０-1
ｄ＝  ９．２１２０１
【００８６】
このような形状が付与されたコンタクトレンズも、実施例１，２のものと同様に、本発明の条件を満足するものであって、優れた装用感と併せて、表裏の判定容易性などの優れたハンドリング性が発揮され得ることが確認されている。
【００８７】
さらに、図９に示された実施例４のコンタクトレンズは、縦断面において、レンズ前面の光学部外径寸法：ＤFOZ ＝６mmで、光学部の後面光学部１８が曲率半径：ｒBOZ ＝８．４０mmの円弧形状とされていると共に、前面光学部１９が曲率半径：ｒFOZ ＝１１．７７３９mmの円弧形状とされており、これによって、レンズ度数：Ｄ＝−１５．００ディオプタのハイマイナスとされている。また、レンズ中心軸１４上の厚さ寸法：ＴC ＝０．０８mmとされていると共に、フロントジャンクション３２の厚さ寸法：ＴFJ＝０．２３０mmとされている。更に、周辺部の後面周辺部２８が曲率半径：ｒBPZ ＝８．６２３１mmの円弧形状とされている。
【００８８】
そして、このような条件下で、ハイマイナスのＤFOZ ＜７mmのコンタクトレンズに適用される下式：
０．８７７  ≦  ＴBJ／ＴFJ  ≦  ０．９９３
による条件を満足するように、バックジャンクション３０とフロントジャンクション３２の各厚さ寸法の比：ＴBJ／ＴFJの値が０．９０となるように条件出しを行って周辺部の前面周辺部２６の形状を設定した。なお、本実施例では、バックジャンクション３０の厚さ寸法：ＴBJ＝０．２０７mmの点を通ることに加えて、周辺部の内外周縁部が光学部の外周縁部とエッジの内周縁部に対して接続せしめられること、更に前面周辺部２６の内周縁部が前面光学部１９の外周縁部に対して共通接線をもって連続せしめられることを条件として、周辺部の前面周辺部２６の断面形状を、レンズ中心軸１４からの距離をｘとする３次の多項式で設定した。このようにして決定した前面周辺部２６の形状を表す多項式を下記に示す。
【００８９】
ｆ（ｘ）＝ａｘ3 ＋ｂｘ2 ＋ｃｘ＋ｄ
但し、ａ＝−２．５３９２１×１０-3
ｂ＝−９．８８６０８×１０-2
ｃ＝  ３．９８２２５×１０-1
ｄ＝  ７．８５５０２
【００９０】
このような形状が付与されたコンタクトレンズにあっては、本発明の条件を満足するものであって、優れた装用感と併せて、表裏の判定容易性などの優れたハンドリング性が発揮され得ることが確認されている。
【００９１】
次に、図１０に示された実施例５のコンタクトレンズは、その光学部において、レンズ前面の光学部外径寸法：ＤFOZ が、ＤFOZ ＝８mmとされている以外は、後面光学部１８の曲率半径：ｒBOZ ＝８．４０，前面光学部１９の曲率半径：ｒFOZ ＝１１．７７３９mm，レンズ度数：Ｄ＝−１５．００ディオプタ，レンズ中心軸１４上の厚さ寸法：ＴC ＝０．０８mmとされて、図９に示された実施例４のコンタクトレンズと同一とされている。また、その周辺部の後面周辺部２８も、実施例４と同じに、曲率半径：ｒBPZ ＝８．６２３１mmとされている。要するに、本実施例５のコンタクトレンズは、前記実施例４のコンタクトレンズと基本的光学特性を同じにするハイマイナスレンズであって、ただ前面光学部１９の外径寸法：ＤFOZ が、前記実施例４のものよりも大きく設定されているのである。そして、レンズ前面の光学部外径寸法：ＤFOZ が大きくされていることにより、フロントジャンクション３２の厚さ寸法：ＴFJも、ＴFJ＝０．３４８mmとされて、実施例４のものより大きくなっている。
【００９２】
そして、このような条件下で、ハイマイナスのＤFOZ ≧７mmのコンタクトレンズに適用される図４に示された上下限評価線による条件を満足するように、バックジャンクション３０とフロントジャンクション３２の各厚さ寸法の比：ＴBJ／ＴFJの値が０．７０となるように条件出しを行って周辺部の前面周辺部２６の形状を設定した。なお、本実施例では、バックジャンクション３０の厚さ寸法：ＴBJ＝０．２４４mmの点を通ることに加えて、周辺部の内外周縁部が光学部の外周縁部とエッジの内周縁部に対して接続せしめられること、更に前面周辺部２６の内周縁部が前面光学部１９の外周縁部に対して共通接線をもって連続せしめられることを条件として、周辺部の前面周辺部２６の断面形状を、レンズ中心軸１４からの距離をｘとする３次の多項式で設定した。このようにして決定した前面周辺部２６の形状を表す多項式を下記に示す。
【００９３】
ｆ（ｘ）＝ａｘ3 ＋ｂｘ2 ＋ｃｘ＋ｄ
但し、ａ＝  ２．８７５７９×１０-2
ｂ＝−６．２７８７７×１０-1
ｃ＝  ３．２８１４２
ｄ＝  ２．８５９５６
【００９４】
このような形状が付与されたコンタクトレンズにあっては、本発明の条件を満足するものであって、優れた装用感と併せて、表裏の判定容易性などの優れたハンドリング性が発揮され得ることが確認されている。
【００９５】
次に、図１１に示された実施例６のコンタクトレンズは、縦断面において、レンズ前面の光学部外径寸法：ＤFOZ ＝６mmで、光学部の後面光学部１８が曲率半径：ｒBOZ ＝８．４０mmの円弧形状とされていると共に、前面光学部１９が曲率半径：ｒFOZ ＝６．６３４７mmの円弧形状とされており、これによって、レンズ度数：Ｄ＝１５．００ディオプタの正屈折力（ハイプラス）とされている。また、レンズ中心軸１４上の厚さ寸法：ＴC ＝０．３２mmとされていると共に、フロントジャンクション３２の厚さ寸法：ＴFJ＝０．１４７mmとされている。更に、周辺部の後面周辺部２８が曲率半径：ｒBPZ ＝８．６２３１mmの円弧形状とされている。
【００９６】
そして、このような条件下で、正屈折力のＤFOZ ＜７mmのコンタクトレンズに適用される下式：
１．２３８  ≦  ＴBJ／ＴFJ  ≦  １．４７０
による条件を満足するように、バックジャンクション３０とフロントジャンクション３２の各厚さ寸法の比：ＴBJ／ＴFJの値が１．３０となるように条件出しを行って周辺部の前面周辺部２６の形状を設定した。なお、本実施例では、バックジャンクション３０の厚さ寸法：ＴBJ＝０．１９１mmの点を通ることに加えて、周辺部の内外周縁部が光学部の外周縁部とエッジの内周縁部に対して接続せしめられること、更に前面周辺部２６の内周縁部が前面光学部１９の外周縁部に対して共通接線をもって連続せしめられることを条件として、周辺部の前面周辺部２６の断面形状を、レンズ中心軸１４からの距離をｘとする３次の多項式で設定した。このようにして決定した前面周辺部２６の形状を表す多項式を下記に示す。
【００９７】
ｆ（ｘ）＝ａｘ3 ＋ｂｘ2 ＋ｃｘ＋ｄ
但し、ａ＝−２．８７３１３×１０-2
ｂ＝  ３．０８０２４×１０-1
ｃ＝−１．５７９３５
ｄ＝  １．０７４４６×１０
【００９８】
このような形状が付与されたコンタクトレンズにあっては、本発明の条件を満足するものであって、優れた装用感と併せて、表裏の判定容易性などの優れたハンドリング性が発揮され得ることが確認されている。
【００９９】
次に、図１２に示された実施例７のコンタクトレンズは、縦断面において、レンズ前面の光学部外径寸法：ＤFOZ が前記実施例６よりも大きくＤFOZ ＝８mmとされている一方、光学部の後面光学部１８が曲率半径：ｒBOZ ＝８．４０mmの円弧形状とされていると共に、前面光学部１９が曲率半径：ｒFOZ ＝６．６８６８mmの円弧形状とされており、これによって、レンズ度数：Ｄ＝１５．００ディオプタの正屈折力（ハイプラス）とされている。また、レンズ中心軸１４上の厚さ寸法：ＴC ＝０．４９mmとされていると共に、フロントジャンクション３２の厚さ寸法：ＴFJ＝０．１５５mmとされている。更に、周辺部の後面周辺部２８が曲率半径：ｒBPZ ＝８．６２３１mmの円弧形状とされている。
【０１００】
そして、このような条件下で、正屈折力でＤFOZ ≧７mmのコンタクトレンズに適用される図５に示された上下限評価線による条件を満足するように、バックジャンクション３０とフロントジャンクション３２の各厚さ寸法の比：ＴBJ／ＴFJの値が０．９０となるように条件出しを行って周辺部の前面周辺部２６の形状を設定した。なお、本実施例では、バックジャンクション３０の厚さ寸法：ＴBJ＝０．１３９mmの点を通ることに加えて、周辺部の内外周縁部が光学部の外周縁部とエッジの内周縁部に対して接続せしめられること、更に前面周辺部２６の内周縁部が前面光学部１９の外周縁部に対して共通接線をもって連続せしめられることを条件として、周辺部の前面周辺部２６の断面形状を、レンズ中心軸１４からの距離をｘとする３次の多項式で設定した。このようにして決定した前面周辺部２６の形状を表す多項式を下記に示す。
【０１０１】
ｆ（ｘ）＝ａｘ3 ＋ｂｘ2 ＋ｃｘ＋ｄ
但し、ａ＝−５．３５８６２×１０-2
ｂ＝  ７．５９９２９×１０-1
ｃ＝−４．２５３７７
ｄ＝  １．５８４７４×１０
【０１０２】
このような形状が付与されたコンタクトレンズにあっては、本発明の条件を満足するものであって、優れた装用感と併せて、表裏の判定容易性などの優れたハンドリング性が発揮され得ることが確認されている。
【０１０３】
なお、前記実施例６及び７に示されたプラス度数のコンタクトレンズにおける光学部のレンズ形状から明らかなように、一般にプラスレンズでは、レンズ中心軸上よりもレンズ前面における光学部と周辺部の接続部位の方がレンズ厚さが大きくなる。従って、レンズ中心軸上のレンズ厚さ：ＴC を比較的に大きく設定しても問題がなく、またレンズ中心軸上のレンズ厚さ：ＴC の最大値は、レンズ前面における光学部と周辺部の接続部位の設定許容範囲によって制限されることから、例えばレンズ中心軸上でのレンズ厚さ：ＴC は、０．０５mm≦ＴC となる条件を満足するように設計することが有効である。
【図面の簡単な説明】
【０１０４】
【図１】本発明の一実施形態としてのコンタクトレンズの概略を示す半径方向の縦断面説明図である。
【図２】図１に示されたコンタクトレンズの正面図である。
【図３】図１に示された構造のコンタクトレンズであって、光学部のレンズ度数：Ｐが「−１０ディオプタ≦Ｐ≦０ディオプタ」であるものの複数種類についてモニタ評価を行った結果を統計的に示すグラフである。
【図４】図１に示された構造のコンタクトレンズであって、光学部のレンズ度数：Ｐが「Ｐ＜−１０ディオプタ」であるものの複数種類についてモニタ評価を行った結果を統計的に示すグラフである。
【図５】図１に示された構造のコンタクトレンズであって、光学部のレンズ度数：Ｐが「０＜Ｐ」であるものの複数種類についてモニタ評価を行った結果を統計的に示すグラフである。
【図６】本発明の実施例１としてのコンタクトレンズを示す半径方向の縦断面図である。
【図７】本発明の実施例２としてのコンタクトレンズを示す半径方向の縦断面図である。
【図８】本発明の実施例３としてのコンタクトレンズを示す半径方向の縦断面図である。
【図９】本発明の実施例４としてのコンタクトレンズを示す半径方向の縦断面図である。
【図１０】本発明の実施例５としてのコンタクトレンズを示す半径方向の縦断面図である。
【図１１】本発明の実施例６としてのコンタクトレンズを示す半径方向の縦断面図である。
【図１２】本発明の実施例７としてのコンタクトレンズを示す半径方向の縦断面図である。
【符号の説明】
【０１０５】
１０  コンタクトレンズ
１４  レンズ中心軸
１８  後面光学部
１９  前面光学部
２６  前面周辺部
２８  後面周辺部
３０  バックジャンクション
３２  フロントジャンクション
【図１】
2007286644.tif 000004
【図２】
2007286644.tif 000005
【図３】
2007286644.tif 000006
【図４】
2007286644.tif 000007
【図５】
2007286644.tif 000008
【図６】
2007286644.tif 000009
【図７】
2007286644.tif 000010
【図８】
2007286644.tif 000011
【図９】
2007286644.tif 000012
【図１０】
2007286644.tif 000013
【図１１】
2007286644.tif 000014
【図１２】
2007286644.tif 000015